(57)【特許請求の範囲】
【請求項１】
色差信号Ｒ−Ｙ、Ｂ−Ｙを含むカラー画像信号についての色調整を行う画像調整回路であって、
色相調整データに対応して、Ｒ−Ｙと、Ｂ−Ｙに相補関係にある振幅倍率を乗算することで赤色成分と青色成分の振幅を相補的に変化させ、
かつ、前記Ｒ−ＹおよびＢ−Ｙの振幅倍率は、色相調整データに対し、一義的に決定され、かつ（Ｒ−Ｙの振幅倍率）2＋（Ｂ−Ｙの振幅倍率）2＝（一定値Ａ）という関係を満足することを特徴とする画像調整回路。
【請求項２】
請求項１に記載の回路において、
前記色相調整データに応じて前記Ｒ−ＹおよびＢ−Ｙに対する振幅倍率を供給する色相変換テーブルを有することを特徴とする画像調整回路。
【請求項３】
請求項１に記載の回路において、
前記Ｒ−ＹおよびＢ−Ｙの振幅倍率は、２の補数で表されることを特徴とする画像調整回路。
【発明の詳細な説明】
【０００１】
【発明の属する技術分野】
カラー画像信号についての色調整を行う画像調整回路に関する。
【０００２】
【従来の技術】
カラーＴＶにおいては、通常色相は、カラーＴＶ信号に含まれるカラーバースト信号との位相差によって決定される。すなわち、通常のカラーコンポジット信号には、特定のカラーバースト信号が含まれており、このカラーバースト信号と色信号の位相差により、色データを復調する。そして、色相調整を行う場合には、このカラーバースト信号の位相に対する各色相の位相を回転していた。すなわち、図５に示すように、通常の場合には、カラーバースト信号の位相が１８０°、Ｂ−Ｙが０°、Ｒ−Ｙが９０°として、各色の位置が決定されているが、色相調整信号に応じて、カラーバーストの位置に対する各色の位置を回転して色相調整する。図の例では、元々実線で書かれた位相に各色が対応させられていたものを、色相調整信号に応じて右回りに回転させ破線でかかれた位相に各色を対応させるように変更している。これによって、同一の色信号に対し、対応する色が変更され、色相調整が行われる。
【０００３】
【発明が解決しようとする課題】
このように、従来より、カラーバーストに対する位相の変更により、色相調整を行っていたが、デジタル信号処理においては、カラーバーストを利用することができない。このため、デジタル信号の処理では、入力されてくるＢ−Ｙ、Ｒ−Ｙから位相を求め、この位相を色相調整信号に応じて回転する演算を常に行わなければならない。
【０００４】
すなわち、図５において、Ｂ−Ｙ軸からθ離れている色は、色の濃さが一定の場合、｛ｓｉｎθ｝２＋｛ｃｏｓθ｝２＝１で表される。色相を変化させることは、位相をずらすことを意味し、例えばθ’だけ一応に位相を回転させる。この場合、Ｂ−Ｙに対しθの点は、｛ｓｉｎ（θ＋θ’）｝２＋｛ｃｏｓ（θ＋θ’）｝２＝１で表される。従って、各データに対し、この式が当てはまるような、計算を行わなければならない。これは、各点について、θ＝ｔａｎ−１｛（Ｒ−Ｙ）／（Ｂ−Ｙ）｝を常に計算し、色相調整用のデータであるθ’だけずらした点を計算しなければならないことである。この演算は演算量が大きく、このために回路規模が非常に大きなものになってしまうという問題があった。
【０００５】
本発明は、上記課題に鑑みなされたものであり、色相調整のための演算量を低減できる画像調整回路を提供することを目的とする。
【０００６】
【課題を解決するための手段】
本発明は、色差信号Ｒ−Ｙ、Ｂ−Ｙを含むカラー画像信号についての色調整を行う画像調整回路であって、色相調整データに対応して、Ｒ−Ｙと、Ｂ−Ｙに相補関係にある振幅倍率を乗算することで赤色成分と青色成分の振幅を相補的に変化させ、かつ、前記Ｒ−ＹおよびＢ−Ｙの振幅倍率は、色相調整データに対し、一義的に決定され、かつ（Ｒ−Ｙの振幅倍率）2＋（Ｂ−Ｙの振幅倍率）2＝（一定値Ａ）という関係を満足することを特徴とする。
【０００７】
このように、色相調整データに対応して、青色成分と赤色成分の振幅を変化させることで、色合いの調整を行うことができる。このような振幅の調整は、入力されてくるデジタルデータに対し、所定の係数を乗算することなどで容易に行うことができ、演算量を低減して色調の調整を達成することができる。
【０００９】
また、色相調整データに応じて前記Ｒ−ＹおよびＢ−Ｙに対する振幅倍率を供給する色相変換テーブルを有することが好適である。色相調整データに応じて振幅倍率を読み出すことができる。
【００１２】
また、前記Ｒ−ＹおよびＢ−Ｙの振幅倍率は、２の補数で表されることが好適である。
【００１３】
【発明の実施の形態】
以下、本発明の実施の形態（以下実施形態という）について、図面に基づいて説明する。
【００１４】
図１は、本実施形態の画像調整回路の構成を示すブロック図である。カラー信号は、例えばＮＴＳＣ方式のカラーデジタル信号であり、Ｙ（輝度）、Ｂ−Ｙ、Ｒ−Ｙの３つの信号からなっている。このうち、Ｙ信号は、色相調整に関係がないため、Ｒ−Ｙ、Ｂ−Ｙがこの回路に入力されてくる。Ｒ−Ｙは、乗算器１０に入力され、Ｂ−Ｙは乗算器１２に入力される。これら乗算器１０，１２には、演算係数テーブル１４から振幅倍率がそれぞれ供給されており、入力されてくるＲ−Ｙ、Ｂ−Ｙがそれぞれの振幅倍率と乗算され、乗算結果が色相調整されたＲ−Ｙ、Ｂ−Ｙとして出力される。
【００１５】
ここで、演算係数テーブル１４には、赤の割合を示す調整データＫが入力され、この調整データＫに応じた、Ｒ−ＹおよびＢ−Ｙの振幅倍率が出力されるようになっている。この演算係数テーブル１４の内容を図２に示す。このように、調整データＫは、００ｈ〜１Ｆｈの３２段階のデータである。
【００１６】
この３２段階のデータは基本的に、
【数１】
（Ｒ−Ｙの振幅倍率）２＋（Ｂ−Ｙの振幅倍率）２＝２
という式に基づいて決定している。ここで、基本的にとしたのは、ある程度の近似を含んでいるからであり、特にＫ＝００ｈについては、倍率の上限値によるリミットをかけている。
【００１７】
このように、上述の式（数１）により、相補関係にある振幅倍率を定めることができる。この相補関係にある振幅倍率により、後述するように、ある色のベクトルが、回転したように調整される。
【００１８】
このような演算係数テーブル１４を用いることにより、色相調整のための演算は入力されてくるＲ−Ｙ、Ｂ−Ｙに対する対応する振幅倍率の乗算だけでよくなり、その演算量を非常に小さなものにできる。
【００１９】
次に、演算係数テーブル１４における振幅倍率の内容について、説明する。上述のように、この振幅倍率は、（Ｒ−Ｙの振幅倍率）２＋（Ｂ−Ｙの振幅倍率）２＝２（必ずしも２である必要はなく定数Ａでよい）という式によって、決定している。
【００２０】
特に、定数を「２」にすると、「振幅倍率＝１」となる点があるため、振幅倍率を決定する演算が容易になるという利点が得られる。
【００２１】
一方、ｙ＝Ｒ−Ｙ、ｘ＝Ｂ−Ｙとすると、乗算器１０，１２における乗算後の色相と位相の関係を示す関数Ｆ（図５に対応する関数）は、
【数２】
Ｆ＝（ｋｒ・ｙ）２＋（ｋｂ・ｘ）２
で表される。
【００２２】
ｋｒ、ｋｂは、外部から供給される調整データＫによって一義的に決まってしまう係数であり、関数Ｆは、
【数３】
Ｆ＝ａｙ２＋ｂｘ２
と表される。ここで、ａ，ｂはａ＝ｋｒ２，ｂ＝ｋｂ２という定数であり、０≦ｋｒ≦√Ａ，０≦ｋｂ≦√Ａである。
【００２３】
従って、関数Ｆは、本実施形態の演算により色相と位相の関係は、図３に示すようになる。すなわち、Ｋの値を小さくすると、Ｂ−Ｙの振幅倍率ｋｂが小さく、Ｒ−Ｙの振幅倍率ｋｒが大きくなる。これによって、Ｒ−Ｙ方向が大きくなる楕円になり、Ｒ−Ｙが増加し、その分Ｂ−Ｙが減少する。このようにして、赤色を強調する色調調整、青色を強調する色調調整を行うことができる。
【００２４】
このような振幅倍率ｋｆおよびｋｂにより、Ｒ−ＹおよびＢ−Ｙの振幅を変更することにより、色に対するＢ−Ｙ軸からの位相θを変更されることになり、あたかも色のベクトルを回転させて調整したように見える。つまり、ｋｒが大きく、ｋｂが小さくなると、Ｒ−Ｙが大きくなり、Ｂ−Ｙが小さくなり、色のベクトルが座標０を中心として、反時計方向に移動する。
【００２５】
このような調整は、従来例として記載したθ’に基づく回転とは異なるが、擬似的な色調調整が行え、その演算量は非常に小さなものでよい。
【００２６】
図４（ａ）、（ｂ）、（ｃ）に、色の調整に基づく、信号の振幅を示す。この図は、カラーバーの各色に振幅値を示しており、左から「白」「黄」「シアン」「緑」「マゼンタ」「赤」「青」「黒」であり、中心と書いた場所が振幅値が２の補数で０の場所である。この例では、左側（ａ）が入力側の一例であり、右上（ｂ）が従来例のように位相をθ’回転させた場合の各色の振幅値を示している。一方、右下（ｃ）は本実施形態によりＢ−Ｙ、Ｒ−Ｙを変更したものである。このように、本実施形態により、各色について青みかかったり、赤みかかったりする色調調整が行える。
【００２７】
なお、本実施形態では、図２に示すように、係数をすべて２ｎで計算できるようにしてある。そこで、乗算をシフトレジスタと加算器で構成することができる。すなわち、ビットシフトにより２の乗算が行える。さらに、デジタルデータはすべて２の補数で表して演算することが好適である。また、演算結果については、所定のビット数にそろえてから出力することが好適である。
【００２８】
【発明の効果】
以上説明したように、本発明によれば、色相調整データに対応した振幅倍率で色差信号の振幅を変更することにより、色調の調整を行うことができる。また、一義的に定まる振幅倍率で色差信号の振幅を変更するだけでよいため、回路構成を簡略化でき、回路規模を低減することができる。
【図面の簡単な説明】
【図１】実施形態の構成を示すブロック図である。
【図２】演算係数テーブル係数の内容を示す図である。
【図３】色相の変更を示す図である。
【図４】各色の振幅を示す図である。
【図５】従来の色相調整を示す図である。
【符号の説明】
１０，１２  乗算器、１４  演算係数テーブル。
【図１】
0003557135.tif 000002
【図２】
0003557135.tif 000003
【図３】
0003557135.tif 000004
【図４】
0003557135.tif 000005
【図５】
0003557135.tif 000006